(57)【要約】【課題】部品点数を削減でき、小型化が図れると共に、構造が簡単で組み立てが容易な電子部品のロック機構を提供すること。【解決手段】操作つまみ１０と、摺動型物（移動型物）４０とを、ケース２０の貫通穴２７を介して一体にスライド移動するように取り付けると共に、操作つまみ１０と摺動型物４０の間にロック用つまみ５０を上下動自在に設置してなるスライド式スイッチ１のロック機構において、ロック用つまみ５０を上方に弾発する弾発手段であるアーム部５１−１，５１−２を介してこのロック用つまみ５０を摺動型物４０と一体に形成することで、部品点数を削減した。このロック機構は、ロック用つまみ５０がケース２０の係合部２７ａに係合することで、操作つまみ１０と摺動型物４０が係止状態となる一方、押圧部５０ａが押圧されてロック用つまみ５０が下降すると、この係止状態が解除される。【選択図】図４
2007141501.tif 000002
【特許請求の範囲】
【請求項１】
操作つまみと、前記操作つまみによって操作される移動型物とを、ケースに設けた貫通穴を介して前記ケースの上下で一体に移動するように取り付けると共に、
前記操作つまみと前記移動型物の間に上下動自在に設置したロック用つまみと、前記ロック用つまみを弾発する弾発手段とを備え、
前記ロック用つまみの押圧部が前記操作つまみに設けた挿通部から突出した状態で、前記ロック用つまみが前記ケースに設けた係合部に係合することで前記操作つまみと移動型物の移動が係止される係止状態となる一方、前記押圧部が押圧されて前記ロック用つまみが下降した状態で、前記係止状態が解除されるように構成した電子部品のロック機構において、
前記弾発手段は、前記移動型物と一体に形成された可撓性を有するアーム部であり、前記ロック用つまみは、前記アーム部を介して前記移動型物と一体に形成されていることを特徴とする電子部品のロック機構。
【請求項２】
請求項１に記載の電子部品のロック機構において、
前記アーム部は、前記ロック用つまみの両側面から突出して前記移動型物に連結されている一対のアーム部からなることを特徴とする電子部品のロック機構。
【請求項３】
請求項１又は２に記載の電子部品のロック機構において、
前記操作つまみと移動型物が移動する際に、前記ロック用つまみ又はケースの少なくともいずれか一方に設けた前記操作つまみと移動型物の移動方向に対して傾斜する傾斜面に、前記ロック用つまみ又はケースが当接することで前記ロック用つまみが下降した後、前記ロック用つまみが前記弾発手段で弾発されて前記係合部に係合し前記係止状態となるように構成したことを特徴とする電子部品のロック機構。
【発明の詳細な説明】
【技術分野】
【０００１】
本発明は、電子部品のロック機構に関するものである。
【背景技術】
【０００２】
従来、操作つまみとこの操作つまみによって操作される移動型物（摺動型物）とを、ケースに設けた貫通穴を介してケースの上下で一体に移動するように取り付けたスライド式スイッチ等の電子部品において、所定の位置で操作つまみと移動型物の移動を係止するロック機構がある（特許文献１）。このロック機構は、操作つまみと移動型物の間にロック用つまみを上下動自在に設置して、さらに、移動型物とロック用つまみの間に弾発手段であるコイルバネを介在させることでロック用つまみを上方向に弾発し、ロック用つまみの押圧部を操作つまみに設けた挿通部から突出させて構成されている。
【０００３】
このロック機構では、ロック用つまみがケースの貫通穴内に係合することで、操作つまみと移動型物の移動が係止される係止状態となる。また、その状態からロック用つまみの押圧部を押圧して、ロック用つまみをコイルバネの弾発力に抗して押し下げると、ロック用つまみが貫通穴から下方に抜けて前記の係止状態が解除され、操作つまみと移動型物をスライド移動させることが可能な状態になる。
【特許文献１】特開平８−３２９７７５号公報
【発明の開示】
【発明が解決しようとする課題】
【０００４】
ところがこのロック機構では、ロック用つまみと、それを弾発する弾発手段であるコイルバネと、コイルバネの下側に設置された移動型物とがいずれも別部品であったため、ロック機構を構成する部品点数が多く、その構造が複雑であった。そのため、ロック機構の小型化が図れず、組み立て工程も煩雑で、製造コストが高くなるという問題があった。また、ロック機構の部品点数が多く構造が複雑であると、それを組み付ける電子部品の小型化を図ることもできない。
【０００５】
本発明は上述の点に鑑みてなされたものでありその目的は、部品点数を削減することができ、小型化が図れると共に、構造が簡単で組み立てが容易な電子部品のロック機構を提供することにある。
【課題を解決するための手段】
【０００６】
上記課題を解決するため本願の請求項１に記載の発明は、操作つまみと、前記操作つまみによって操作される移動型物とを、ケースに設けた貫通穴を介して前記ケースの上下で一体に移動するように取り付けると共に、前記操作つまみと前記移動型物の間に上下動自在に設置したロック用つまみと、前記ロック用つまみを弾発する弾発手段とを備え、前記ロック用つまみの押圧部が前記操作つまみに設けた挿通部から突出した状態で、前記ロック用つまみが前記ケースに設けた係合部に係合することで前記操作つまみと移動型物の移動が係止される係止状態となる一方、前記押圧部が押圧されて前記ロック用つまみが下降した状態で、前記係止状態が解除されるように構成した電子部品のロック機構において、前記弾発手段は、前記移動型物と一体に形成された可撓性を有するアーム部であり、前記ロック用つまみは、前記アーム部を介して前記移動型物と一体に形成されていることを特徴とする。
【０００７】
本願の請求項２に記載の発明は、請求項１に記載の電子部品のロック機構において、前記アーム部は、前記ロック用つまみの両側面から突出して前記移動型物に連結されている一対のアーム部からなることを特徴とする。
【０００８】
本願の請求項３に記載の発明は、請求項１又は２に記載の電子部品のロック機構において、前記操作つまみと移動型物が移動する際に、前記ロック用つまみ又はケースの少なくともいずれか一方に設けた前記操作つまみと移動型物の移動方向に対して傾斜する傾斜面に、前記ロック用つまみ又はケースが当接することで前記ロック用つまみが下降した後、前記ロック用つまみが前記弾発手段で弾発されて前記係合部に係合し前記係止状態となるように構成したことを特徴とする。
【発明の効果】
【０００９】
本願の請求項１に記載の発明によれば、ロック用つまみと弾発手段と移動型物とが一体に形成されて一部品で構成されるため、ロック機構の部品点数が削減され、その構造が簡単になり小型化が図れると共に、組み立ても容易となる。
【００１０】
本願の請求項２に記載の発明によれば、一対のアーム部によってロック用つまみがその両側面で支持された状態となり、押圧部が押圧された際にロック用つまみが傾くおそれがなくなり、ロック用つまみの操作性が向上し、操作つまみの挿通部から突出する押圧部の外観も良好になる。また、これら一対のアーム部によりロック用つまみを確実に弾発することが可能となる。
【００１１】
本願の請求項３に記載の発明によれば、ロック用つまみの押圧部を押圧操作しなくても、操作つまみと移動型物を移動させるだけで、操作つまみと移動型物を係止状態にしてそれらの移動を規制できるので、簡単な構造で、ロック機構の操作性や機能性を向上させることができる。
【発明を実施するための最良の形態】
【００１２】
以下、本発明の実施の形態を図面を参照して詳細に説明する。図１及び図２は、本発明の一実施形態にかかる電子部品のロック機構を備えたロック機構付きスライド式電子部品（以下、この実施の形態では「スライド式スイッチ」という）１の構成部品を、それぞれ上方及び下方から見た分解斜視図である。これらの図に示すように、スライド式スイッチ１は、ケース２０の上面側に配置した操作つまみ１０と、ケース２０下面側に配置したロック用つまみ５０を一体に形成してなる移動型物（以下、この実施の形態では「摺動型物」という）４０とを、ケース２０の貫通穴２７と貫通穴３０，３０を介してその上下で一体に取り付け、さらに摺動型物４０の下面に摺動子６０，６０を取り付け、ケース２０の下側にフレキシブル回路基板７０と取付部材８０とを設置して構成されている。以下各構成部品について説明する。なお以下の説明では、スライド式スイッチ１において操作つまみ１０と摺動型物４０が一体に移動する方向である、これらが直線状にスライド移動する方向（図１、図２の矢印で示す方向）を、スライド方向と呼ぶ。
【００１３】
操作つまみ１０は、略矩形の平板状に形成された合成樹脂（例えばＡＢＳ樹脂）の成形品で、その中央にロック用つまみ５０を上下動自在に挿通させる挿通部１１が設けられている。この挿通部１１は、スライド方向を短手方向とする長方形状の貫通穴である。また、上面の挿通部１１のスライド方向の両側には、指などで操作する操作部１２，１２が形成され、下面の挿通部１１のスライド方向に直交する両側には、下方に向かって突出する突起状の固定部１３，１３が形成されている。
【００１４】
ケース２０は、合成樹脂（例えばＡＢＳ樹脂）の成形品で、スライド方向を長手方向とする略長方形の平板状に形成された上壁２１の周囲に下方に向かう側壁２２を設けることで、下面側に摺動型物４０等を収納する凹部２３を形成して構成されている。側壁２２の下端の四隅には、下方に向かって突出する小突起状の固定部２４が設けられている。一方、上壁２１の上面には、スライド方向を長手方向とする略長方形状に囲まれた側壁２５が立設され、この側壁２５の内側が、操作つまみ１０をスライド移動自在に収納する収納溝２６になっている。収納溝２６の底面２６ａには、その略中央にスライド方向を長手方向とする長方形状の貫通穴２７が形成されると共に、この貫通穴２７のスライド方向に直交する両外側には、スライド方向の長さが貫通穴２７と等しい長方形状の一対の貫通穴３０，３０が形成されている。貫通穴２７と貫通穴３０，３０は、いずれもケース２０下面の下記する収納溝３１内に貫通している。中央の貫通穴２７内には、その長手方向の両側面２９ｃ，２９ｄそれぞれの中間部よりも短手方向の一方の側面２９ａに近い位置に、対向する側面２９ｄ，２９ｃに向かって略水平に突出する一対の柱状の突出部２８，２８が形成されている。この突出部２８，２８は、その側面２９ａに対向する側面２８ａ，２８ａがスライド方向に対して略垂直な平面であり、貫通穴２７の短手方向の他方の側面２９ｂに対向する側面がスライド方向に対して上下に傾斜する傾斜面２８ｂ，２８ｂになっていて、三角柱状に形成されている。傾斜面２８ｂ，２８ｂは、スライド移動するロック用つまみ５０を当接させて下降させることができるように、ロック用つまみ５０の進行方向に向かって下方に傾斜する傾斜面になっている。また、本実施形態ではこの傾斜面２８ｂ，２８ｂは平面状であるが、これ以外にも湾曲面状に形成することもできる。そしてこの突出部２８，２８の側面２８ａ，２８ａと貫通穴２７の側面２９ａとの間の略矩形状の開口部分が、ロック用つまみ５０を係合させる係合部２７ａになっている。また、突出部２８，２８の傾斜面２８ｂ，２８ｂと貫通穴２７の側面２９ｂとの間の部分は、係合部２７ａよりもそのスライド方向の幅が広い略矩形状の開口部２７ｂになっている。
【００１５】
一方、ケース２０の下面には、図２に示すように貫通穴２７と貫通穴３０，３０の周囲に、スライド方向を長手方向とする略長方形状の収納溝３１が形成されている。この収納溝３１は、摺動型物４０をスライド移動自在に収納するものである。また、この収納溝３１の短手方向の一方の側面（貫通穴２７の側面２９ｂと同じ側の側面）３１ｂの外側には、半円筒状の底部を有するコイルスプリング収納溝３２が形成されている。コイルスプリング収納溝３２の一端は収納溝３１内に連通し、他端は下記するコイルスプリング５５の端部を当接させる当接面３２ａになっている。また、ケース２０のスライド方向に向かう一方の側壁２２ａの内面には、ケース２０の内側に向かって突出する突起状の弾接部係合部３３−１，３３−２が設けられている。
【００１６】
摺動型物４０は、スライド方向を長手方向とする略長方形の板状に形成された合成樹脂（例えばＰＯＭ樹脂）の成形品で、その中央に、スライド方向を長手方向とする長方形の貫通穴４１を設けている。この貫通穴４１の長手方向の略中間部には、その短手方向の幅寸法が貫通穴４１の他の部分の幅寸法よりも大きく形成された開口部４２が設けられていて、この開口部４２内に、ロック用つまみ５０が設置されている。ロック用つまみ５０は、操作つまみ１０の挿通部１１よりも若干小さい長方形の平面形状を有する略四角柱状で、高さ寸法が、摺動型物４０の厚さ寸法よりも大きく形成され、上面が指などで押圧操作する押圧部５０ａになっている。そしてこのロック用つまみ５０の両側面から弾発手段である一対のアーム部５１−１，５１−２が突出し、これらアーム部５１−１，５１−２の先端がそれぞれ貫通穴４１の短手方向の両側面に連結されることで、ロック用つまみ５０が、開口部４２内の所定の高さ位置に設置され、その押圧部５０ａが、摺動型物４０の上面よりも上方に突出している。また、アーム部５１−１，５１−２は、帯状に形成されてその面が略水平に配置され、さらにその途中が上下に繰り返して折れ曲がっていて、長手方向の断面形状が略Ｓ字形状に屈曲した状態に形成されているので、上下方向に適度な可撓性を有し、ロック用つまみ５０を上下動自在な状態に支持すると共に、ロック用つまみ５０が押し下げられた際にこれを上方に向かって弾発できるようになっている。一方、ロック用つまみ５０のケース２０の貫通穴２７の両側面２９ｃ，２９ｄに対向する両側面には、その高さ方向の中間部付近に、ロック用つまみ５０の内側に向かって略コ字状に切り欠かれた切欠部５２，５２が形成されている。切欠部５２，５２は、その内側にケース２０の突出部２８，２８を通過させることが可能な大きさに切り欠かれている。
【００１７】
さらにこの摺動型物４０には、その下面の長手方向の中間部付近から下方に突出し、その先が摺動型物４０の長手方向の両外側に向かって略水平に延びている可撓性を有する一対のアーム部４３−１，４３−２が設けられ、これらアーム部４３−１，４３−２の先端に、突起状の弾接部４４−１，４４−２が形成されている。弾接部４４−１，４４−２は、摺動型物４０の長手方向の一方の側面４０ｃの両端部近傍からこの側面の外方に向かって突出している。両弾接部４４−１，４４−２の間隔は、ケース２０の両弾接部係合部３３−１，３３−２の間隔と同一である。一方、摺動型物４０の下面の長手方向の他方の側面４０ｄの近傍には、下方に向かって突出する各２個ずつの小突起からなる固定部４５，４５が設けられている。また、開口部４２の両側部には、操作つまみ１０の固定部１３，１３を取り付ける貫通穴からなる取付固定部４６，４６が設けられている。摺動型物４０の短手方向の一方の側面４０ａには、その外方に向かって略水平に突出する軸状のコイルスプリング取付部４７が設けられている。このコイルスプリング取付部４７には、弾性を有する線材をコイル状に巻回してなるコイルスプリング５５が取り付けられる。
【００１８】
摺動子６０，６０はいずれも同じ構成で、導電性を有する弾性金属板で形成され、平板状の基部６１の一端から二本の摺動冊子６２を突出し、これらを基部６１の下側に折り曲げて形成されている。基部６１には、摺動型物４０の固定部４５に対応する二個の貫通穴からなる取付固定部６３が設けられている。
【００１９】
フレキシブル回路基板７０は、その外形がケース２０の外周と略同一形状に形成された可撓性を有する合成樹脂フイルム（ポリエチレンテレフタレートフイルム〔ＰＥＴフイルム〕等）で、摺動子６０，６０の摺動冊子６２，６２が摺接する位置に、導電塗料を印刷形成してなる摺接パターン（以下、この実施の形態では「スイッチパターン」という）７１が形成されている。スイッチパターン７１のうち、一本のスイッチパターン７１−１はコモンパターンで、他のスイッチパターン７１−２，７１−３はスイッチ切換用のパターンであり、摺動冊子６２，６２のいずれかが、スイッチパターン７１−２又は７１−３のいずれか一方と、コモンのスイッチパターン７１−１とに同時に当接することで、両スイッチパターン間が導通されてスイッチが切り替わる。このスイッチパターン７１は、フレキシブル回路基板７０の表面に形成された図示しない回路パターンに接続され、さらにこの回路パターンは、フレキシブル回路基板７０の一端に設けた引出部７３を介して外部に引き出されている。一方、フレキシブル回路基板７０の四隅には、ケース２０の固定部２４に対応する貫通穴からなる取付固定部７２が形成されている。
【００２０】
取付部材８０は、金属製あるいは合成樹脂製などの硬質平板で、その外形がケース２０の外周と略同一形状に形成され、その四隅には、ケース２０の固定部２４に対応する貫通穴からなる取付固定部８２が形成されている。
【００２１】
このスライド式スイッチ１を組み立てるには、ケース２０の貫通穴３０，３０にその上側から操作つまみ１０の固定部１３，１３を挿入して、収納溝２６内に操作つまみ１０を配置する。一方で、摺動子６０，６０の取付固定部６３，６３に摺動型物４０の下面の固定部４５，４５を挿通させて、基部６１，６１の下面に突出する固定部４５，４５の先端を熱カシメすることで、摺動子６０，６０を摺動型物４０の下面に取り付ける。このとき摺動子６０，６０は、互いにその向きを反対に配置して取り付ける。また、コイルスプリング取付部４７にコイルスプリング５５を取り付ける。そしてこの摺動型物４０を、ケース２０の下面の収納溝３１内に設置する。その際、ロック用つまみ５０をケース２０の貫通穴２７内に配置すると共に、操作つまみ１０の挿通部１１に下側から挿通して、押圧部５０ａを操作つまみ１０の上面側に突出させた状態にする。その状態で、操作つまみ１０の固定部１３，１３を摺動型物４０の取付固定部４６，４６に挿入し、摺動型物４０の下面側に突出したこの固定部１３，１３の先端を熱カシメして固定すれば、ケース２０を介してその上下で操作つまみ１０と摺動型物４０とが一体に固定される。またこのとき、摺動型物４０に取り付けたコイルスプリング５５が、コイルスプリング収納溝３２内に配置される。さらに、摺動型物４０の弾接部４４−１，４４−２が、ケース２０の側壁２２ａの内面に当接する。この状態で、ケース２０の下側にフレキシブル回路基板７０を配置し、さらにその下側に取付部材８０を設置して、ケース２０の固定部２４を取付固定部７２と取付固定部８２とに挿通させて、取付部材８０の下面に突出する固定部２４の先端を熱カシメで固定すれば、スライド式スイッチ１の組み立てが完了する。
【００２２】
図３は、組み立てたスライド式スイッチ１の斜視図であり、図４は、その概略側断面図である。両図に示すようにこのスライド式スイッチ１は、操作つまみ１０と摺動型物４０がケース２０に設けた貫通穴２７を介してその上下で一体にスライド移動するように取り付けられると共に、弾発手段である可撓性を有するアーム部５１−１，５１−２を介して摺動型物４０と一体に形成されたロック用つまみ５０が、操作つまみ１０と摺動型物４０の間の貫通穴２７内に上下動自在に配置されている。またロック用つまみ５０は、その押圧部５０ａが操作つまみ１０の挿通部１１から上方に突出すると共に、このロック用つまみ５０の側面に設けた切欠部５２，５２がケース２０の貫通穴２７に設けた突出部２８，２８よりも若干高い位置になるように配置されている。一方、摺動型物４０の下面に取り付けた摺動子６０，６０の摺動冊子６２，６２が、フレキシブル回路基板７０に形成されたスイッチパターン７１上に当接している。
【００２３】
次に、図５の動作説明図を用いて、このスライド式スイッチ１の動作を説明する。まず、図５（ａ）に示す状態では、摺動型物４０がコイルスプリング５５によって同図の左方向に向かって弾発され、図２に示す摺動型物４０の両弾接部４４−１，４４−２が、ケース２０の両弾接部係合部３３−１，３３−２に当接した状態で摺動型物４０が停止している。このときロック用つまみ５０は、開口部２７ｂ内の突出部２８の傾斜面２８ｂに隣接する位置にある。この状態から、操作つまみ１０を同図の右方向に向かってスライド移動させると、図５（ｂ）に示すようにコイルスプリング５５が圧縮されながら操作つまみ１０と摺動型物４０が一体にスライド移動し、摺動冊子６２，６２のスイッチパターン７１との接触状態が変化してスイッチのオンオフが切り替わる。このとき、ロック用つまみ５０は開口部２７ｂ内の端部まで移動する。一方この状態で、操作つまみ１０を移動させている力を取り除くと、コイルスプリング５５の復元力により、操作つまみ１０と摺動型物４０が一体に同図の左方向に向かってスライド移動して、図５（ａ）の状態に戻る。
【００２４】
また図５（ａ）の状態から、操作つまみ１０を同図の左方向に向かってスライド移動させると、この場合も摺動型物４０が一体にスライド移動し、その際、図５（ｃ）に示すようにロック用つまみ５０の切欠部５２の下端部が、突出部２８の傾斜面２８ｂに当接する。そこからさらに摺動型物４０がスライド移動すると、この切欠部５２の下端部が傾斜面２８ｂによって下向きに押圧されるので、ロック用つまみ５０がアーム部５１−１，５１−２の弾発力に抗して自動的に押し下げられる。これにより、ロック用つまみ５０の切欠部５２，５２が突出部２８，２８を通過する。そして切欠部５２，５２が突出部２８，２８を完全に通過した後、同図（ｄ）に示すように、アーム部５１−１，５１−２の弾発力でロック用つまみ５０が上方に押し上げられて、ロック用つまみ５０の切欠部５２，５２の下側の部分が係合部２７ａ内に係合する。この状態では、ロック用つまみ５０が突出部２８，２８の側面２８ａ，２８ａとこれに対向する係合部２７ａの側面２９ａとに挟まれているので、ロック用つまみ５０はスライド方向に移動できず、操作つまみ１０と摺動型物４０の移動が係止されている。以下、この状態を係止状態と呼ぶ。なお、この係止状態になる際にも、摺動冊子６２，６２のスイッチパターン７１との接触状態が変化して、スイッチのオンオフが切り替わる。また、図５（ａ）から図５（ｄ）の状態へ摺動型物４０がスライド移動する際に、図２に示す摺動型物４０の両弾接部４４−１，４４−２がケース２０の両弾接部係合部３３−１，３３−２を乗り越えることで、クリック感覚が生じる。また係止状態になった際には、弾接部４４−１，４４−２が弾接部係合部３３−１，３３−２に当接していることで、ロック用つまみ５０の係合部２７ａへの係合と合わせて、摺動型物４０のスライド移動が係止されている。
【００２５】
図５（ｄ）の係止状態を解除して操作つまみ１０を移動させるには、図５（ｅ）に示すようにロック用つまみ５０の押圧部５０ａを押圧して、ロック用つまみ５０をアーム部５１−１，５１−２の弾発力に抗して押し下げる。これにより、ロック用つまみ５０の切欠部５２，５２の高さ位置が、ケース２０の突出部２８，２８の高さ位置と略等しくなって、前記の係止状態が解除される。その状態で、操作つまみ１０及び摺動型物４０を同図の右方向に向かってスライド移動させれば、ロック用つまみ５０の切欠部５２，５２が突出部２８，２８を通過して、ロック用つまみ５０が係合部２７ａから抜けて開口部２７ｂ内へ移動する。その位置でロック用つまみ５０を押圧している力を解除すれば、アーム部５１−１，５１−２の弾発力によりロック用つまみ５０が押し上げられて、図５（ａ）の状態に戻る。なお、この図５（ｅ）の状態から図５（ａ）の状態へ戻る際にも、図２に示す摺動型物４０の弾接部４４−１，４４−２が、ケース２０の弾接部係合部３３−１，３３−２を前記とは逆方向に乗り越えることで、クリック感覚が生じる。
【００２６】
このスライド式スイッチ１が備えるロック機構では、ロック用つまみ５０が弾発手段であるアーム部５１−１，５１−２を介して摺動型物４０と一体に形成されている。即ち、ロック用つまみ５０と弾発手段であるアーム部５１−１，５１−２と摺動型物４０とが一部品で構成されているため、ロック機構の部品点数が削減されて、その構造が簡単になり小型化が図れると共に、組み立ても容易となる。また、ロック用つまみ５０を弾発しているアーム部５１−１，５１−２は、ロック用つまみ５０の両側面からそれぞれ突出して摺動型物４０に連結されているので、ロック用つまみ５０がその両側面で支持されていて、押圧部５０ａが押圧されても傾くおそれがない。したがって、ロック用つまみ５０の操作性が向上し、また、操作つまみ１０の挿通部１１から突出する押圧部５０ａの外観も良好になる。また、これら一対のアーム部５１−１，５１−２を備えたことで、ロック用つまみ５０をより確実に弾発することが可能となる。
【００２７】
また、操作つまみ１０と摺動型物４０がスライド移動する際に、ケース２０の突出部２８，２８に設けたスライド方向に対して傾斜する傾斜面２８ｂ，２８ｂに、ロック用つまみ５０が当接することで、ロック用つまみ５０がアーム部５１−１，５１−２の弾発力に抗して下降した後、ロック用つまみ５０がアーム部５１−１，５１−２の弾発力で弾発されて係合部２７ａに係合して係止状態となるように構成したので、ロック用つまみ５０の押圧部５０ａを押圧操作しなくても、操作つまみ１０と摺動型物４０を移動させるだけで、操作つまみ１０と摺動型物４０を係止状態にしてそれらの移動をロックできる。このように、簡単な構造で、ロック機構の操作性や機能性を向上させることができる。
【００２８】
以上本発明の実施の形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。
【００２９】
例えば、上記実施の形態では、操作つまみ１０と摺動型物４０のスライド方向に対して傾斜する傾斜面２８ｂ，２８ｂを、ケース２０の貫通穴２７内に突出する突出部２８，２８の側面に設けたが、傾斜面の設置位置は上記実施の形態には限定されず、操作つまみ１０と摺動型物４０がスライド移動する際に、この傾斜面によってロック用つまみ５０を押し下げることができる位置であれば、ケース２０の他の位置に設けてもよい。またこの傾斜面は、ケース２０側に設ける以外にも、ロック用つまみ５０側に設けることもできる。すなわち、ロック用つまみ５０がスライド移動する際に、そのケース２０に当接する所定位置、例えば切欠部５２，５２の突出部２８，２８に対向する部分等に設ければよい。この場合は、ロック用つまみ５０の進行方向に向かって下方に傾斜する傾斜面にする。
【００３０】
また、上記実施の形態のように弾発手段を一対のアーム部５１−１，５１−２で構成する以外にも、ロック用つまみ５０の一方の側面から突出して摺動型物４０に連結された一本のアーム部で構成し、ロック用つまみ５０をいわゆる片持ち状態で支持・弾発する構造としても良いし、あるいは三本以上のアーム部で構成してもよい。
【００３１】
また本発明にかかる電子部品のロック機構は、その適用がスライド式スイッチに限定されるものではなく、スライド式可変抵抗器等の他の各種スライド式電子部品や、その他のスライド移動する移動型物を備えた電子部品に適用することが可能である。さらには、直線方向にスライド移動する移動型物を備えたスライド式電子部品に限らず、移動型物が円周方向にスライド移動する回転式電子部品等にも適用できる。
【図面の簡単な説明】
【００３２】
【図１】本発明の一実施の形態にかかる電子部品のロック機構を備えたスライド式スイッチ１の分解斜視図（上側）である。
【図２】スライド式スイッチ１の分解斜視図（下側）である。
【図３】組み立てたスライド式スイッチ１の外観を示す斜視図である。
【図４】スライド式スイッチ１の概略側断面図である。
【図５】スライド式スイッチ１の動作を説明するための図である。
【符号の説明】
【００３３】
１            スライド式スイッチ（ロック機構付きスライド式電子部品）
１０          操作つまみ
１１          挿通部
２０          ケース
２６          収納溝
２７          貫通穴
２７ａ        係合部
２７ｂ        開口部
２８，２８    突出部
２８ａ，２８ａ  側面
２８ｂ，２８ｂ  傾斜面
３０，３０    貫通穴
３１          収納溝
４０          摺動型物（移動型物）
４１          貫通穴
４２          開口部
５０          ロック用つまみ
５０ａ        押圧部
５１−１，５１−２  アーム部（弾発手段）
５２，５２    切欠部
６０，６０    摺動子
７０          フレキシブル回路基板
７１          スイッチパターン
８０          取付部材
【図１】
2007141501.tif 000003
【図２】
2007141501.tif 000004
【図３】
2007141501.tif 000005
【図４】
2007141501.tif 000006
【図５】
2007141501.tif 000007